(57)【要約】  使い捨て吸収性物品は、シャーシと、第１のサイドパネルと、第２のサイドパネルと、補強要素と、を有する。シャーシは、トップシートと、少なくともトップシートの一部分に取り付けられるバックシートと、トップシートとバックシートとの間に配置される吸収性コアと、を含む。第１のサイドパネルは、内端及び外端を有し、第１の腰部区域の第１の長手方向縁部から外側に向かって延在する。第２のサイドパネルは、第２の腰部区域の第１の長手方向縁部から外側に向かって延在する。第１のサイドパネルは、第１のサイドパネルの外端に隣接する当該第２のサイドパネルに接合可能に構成される。補強要素は、外端に接合されるとともに第１のサイドパネルの外端に対応して設けられる。
2009533195.tif 000002
【特許請求の範囲】
【請求項１】
着用者の胴体下部周囲に着用するための使い捨て吸収性物品（１００）であって、第１の腰部区域（１０６）と、第２の腰部区域（１０８）と、前記第１の腰部区域と前記第２の腰部区域との間に配置される股領域（１１０）と、第１の腰縁部（１５０）及び第２の腰縁部（１５１）と、第１の長手方向縁部（７５Ａ）及び第２の長手方向縁部（７５Ｂ）と、を備え、前記使い捨て吸収性物品は、
シャーシ（１４０）であって、トップシート（１７０）と、前記トップシートの少なくとも一部分に取り付けられるバックシート（１６０）と、前記トップシートと前記バックシートとの間に配置される吸収性コア（３２）とを含むシャーシと、
前記第１の腰部区域内の前記第１の長手方向縁部から外側に向かって延在する第１のサイドパネル（１２０Ａ、１２０Ｂ）であって、内端（１１９Ａ、１１９Ｂ）と外端（１２１Ａ、１２１Ｂ）とを含む第１のサイドパネルと、
前記第２の腰部区域内の前記第１の長手方向縁部から外側に向かって延在する第２のサイドパネル（１２２Ａ、１２２Ｂ）であって、前記第１のサイドパネルの前記外端に隣接するように前記第１のサイドパネルに接合可能に構成される第２のサイドパネルと、
前記第１のサイドパネルの前記外端に接合された第１の補強要素（２１０Ａ、２１０Ｂ）であって、前記第１のサイドパネルの前記外端に対応して設けられる第１の補強要素を備えたことを特徴とする、使い捨て吸収性物品。
【請求項２】
前記第１のサイドパネル及び前記第２のサイドパネルが、弾性延伸自在である、請求項１に記載の使い捨て吸収性物品。
【請求項３】
前記補強要素が、前記バックシートの一部分を含む、請求項１に記載の使い捨て吸収性物品。
【請求項４】
前記補強要素が、前記使い捨て吸収性物品の着用者に面する表面（２１５）上に配置される、請求項３に記載の使い捨て吸収性物品。
【請求項５】
前記補強要素が、前記使い捨て吸収性物品の外側表面（２１９）上に配置される、請求項３に記載の使い捨て吸収性物品。
【請求項６】
前記補強要素は、前記第１のサイドパネルと前記バックシートとの間に配置される、請求項３に記載の使い捨て吸収性物品。
【請求項７】
前記第１のサイドパネルが、カバー層（２２０）に接合されたエラストマー要素（２３２）を含み、前記エラストマー要素と前記カバー層が向かい合う、請求項１に記載の使い捨て吸収性物品。
【請求項８】
前記補強要素が、前記カバー層の一部分を含む、請求項７に記載の使い捨て吸収性物品。
【請求項９】
前記補強要素が、前記使い捨て吸収性物品の外側表面（２１９）上に配置される、請求項８に記載の使い捨て吸収性物品。
【請求項１０】
前記補強要素が、前記カバー層と前記エラストマー要素との間に配置される、請求項８に記載の使い捨て吸収性物品。
【請求項１１】
前記補強要素は、前記エラストマー要素と前記バックシートの間に配置される、請求項８に記載の使い捨て吸収性物品。
【請求項１２】
前記第２のサイドパネルが、第２の内端（１２３Ａ、１２３Ｂ）と、第２の外端（１２５Ａ、１２５Ｂ）と、第２の補強要素（２１Ａ、２１２Ｂ）と、を更に備え、前記第２の補強要素は、第２のサイドパネルの前記第２の外端に対応して設けられ、前記第２のサイドパネルは、前記第２の外端に隣接する前記第１のサイドパネルに接合され、前記第２の補強要素は、前記第１のサイドパネルの一部分と重なり合うとともに前記第２のサイドパネルの一部分と重なり合う、請求項１に記載の使い捨て吸収性物品。
【請求項１３】
前記エラストマー要素と前記補強要素とが、重なり合うことがない構成である、請求項７に記載の使い捨て吸収性物品。
【請求項１４】
着用者の胴体下部周囲に着用するための使い捨てパンツ状吸収性物品（６００）であって、前側腰部区域と後側腰部区域と前記前側腰部区域と前記後側腰部区域との間に配置される股領域とを有する外側カバー（６４０）と、前記使い捨てパンツ状吸収性物品の外側表面を形成する第１のバックシート層（６４１）と、を備え、前記使い捨てパンツ状吸収性物品は、
第１の弾性延伸自在な前側サイドパネル（６２０Ａ）及び第２の弾性延伸自在な性前側サイドパネル（６２０Ｂ）であって、前記前側サイドパネルのそれぞれは、前記第１のバックシート層の一部分に接合されるとともに前記第１のバックシート層から外側に向かって延在し、前記第１及び前記第２の前記前側サイドパネルは、第１の内端と第１の外端とを含み、前記第１の前側サイドパネルは、前記第１の外端に接合されるとともに前記第１の前側サイドパネルの前記第１の外端に対応して設けられる第１の補強要素を含み、前記第２の前側サイドパネルは、前記第１の外端に接合されるとともに前記第２の前側サイドパネルの前記第１の外端に対応して設けられる第１の補強要素（６１０Ａ、６１０Ｂ）を含む第１の弾性延伸自在な前側サイドパネル及び第２の弾性延伸自在な前側サイドパネルと、
第１の弾性延伸自在な後側サイドパネル及び第２の弾性延伸自在な後側サイドパネルであって、前記後側サイドパネルのそれぞれは、前記第１のバックシート層の一部分に接合されるとともに前記第１のバックシート層から外側に向かって延在し、前記第１及び前記第２の後側サイドパネルは、第２の内端と第２の外端とを含み、前記第１の後側サイドパネルは、前記第２の外端に接合されるとともに前記第１の後側サイドパネルの第２の外端に対応して設けられる第２の補強要素を含み、前記第２の後側サイドパネルは、前記第２の外端に接合されるとともに前記第２の後側サイドパネルの第２の外端に対応して設けられる第２の補強要素を含む第１の弾性延伸自在な後側サイドパネル及び第２の弾性延伸自在な後側サイドパネルと、
第１の長手方向縁部（６７５Ａ）と第２の長手方向縁部（６７５Ｂ）とを有する吸収性組立体（６５０）であって、前記吸収性組立体は、トップシート（１７０）と、前記トップシートに対応する第２のバックシート層（６４２）と、前記トップシートと前記第２のバックシート層との間に配置される吸収性コア（３２）とを含み、前記第２のバックシート層は、前記第１のバックシート層に配置され、前記吸収性組立体は、前記第１及び第２の長手方向縁部が前記前側及び後側サイドパネルのそれぞれと離間した関係にあり、それによって、その間の前側長手方向非弾性部分（６８０、６８２）及び背側長手方向非弾性部分を形成するように、前記使い捨てパンツ状吸収性物品の前記着用者に面する表面（６１５）に取り付けられる吸収性組立体と、
前記吸収性組立体の前記第１の長手方向縁部に取り付けられる第１のバリアカフ（６５２）と、
前記吸収性組立体の前記第２の長手方向縁部に取り付けられる第２のバリアカフ（６５４）と、を更に備え、
前記第１及び前記第２の弾性延伸自在な前側サイドパネルは、前記第１及び第２の弾性延伸自在な後側サイドパネルに接合され、それによって腰部開口部及び１組の脚部開口部を形成するように構成されることを特徴とする使い捨てパンツ状吸収性物品。
【請求項１５】
前記第１の補強要素及び前記第２の補強要素は、前記使い捨て吸収性物品の着用者に面する表面（６１５）上に配置される、請求項１４に記載の使い捨て吸収性物品。
【請求項１６】
前記第１の補強要素及び前記第２の補強要素は、前記使い捨て吸収性物品の外側表面上に配置される、請求項１４に記載の使い捨て吸収性物品。
【請求項１７】
前記第１の補強要素は、前記第１のバックシート層と、前記第１の前側サイドパネルと、前記第２の前側サイドパネルと、の間に配置され、前記第２の補強要素は、前記第１のバックシート層と、前記第１の後側サイドパネルと、前記第２の後側サイドパネルと、の間に配置される、請求項１４に記載の使い捨て吸収性物品。
【請求項１８】
前記第１及び前記第２の前側サイドパネルのそれぞれ、並びに前記第１及び前記第２の後側サイドパネルのそれぞれは、カバー層に接合されたエラストマー要素を含み、前記エラストマー要素と前記カバー層が向かい合う、請求項１４に記載の使い捨て吸収性物品。
【請求項１９】
前記第１の補強要素及び前記第２の補強要素は、前記カバー層と前記エラストマー要素との間に配置される、請求項１８に記載の使い捨て吸収性物品。
【請求項２０】
前記第１の補強要素及び前記エラストマー要素は、重なり合うことがない構成であるとともに、前記第２の補強要素及び前記エラストマー要素は、重なり合うことがない構成である、請求項１８に記載の使い捨て吸収性物品。
【発明の詳細な説明】
【技術分野】
【０００１】
本発明は、補強されたシームを有する使い捨て吸収性物品に関する。具体的には、本発明は、補強締着シームを有する使い捨ておむつに関する。
【背景技術】
【０００２】
使い捨て吸収性物品は、乳児及び失禁症状のある個人によって、幅広く使用されている。幾つかの使い捨て吸収性物品は、物品を着用者に着用中、着用者の周囲で締着される。その一方、幾つかの使い捨て吸収性物品は、パッケージ内で事前に締着されることができ、物品を着用者に着用する際、通常使い捨て吸収性物品を着用者に向かって引っ張るだけでよい。
【０００３】
使い捨て吸収性物品は、再締着可能な締着装置により、互いに接合することができるサイドパネルを含んでもよい。これらの再締着可能な締着装置は、互いに取り外し、続いて再び取り付けることができる、サイドパネル間の取り付けを行う。
【０００４】
或いは、使い捨て吸収性物品は、共に再締着不可能に接合されるサイドパネルを含んでもよい。例えば、使い捨て吸収性物品のサイドパネルを、共に固着することができる。多くの場合、これらの再締着不可能な取り付けは取り外しができず、取り外した後、有効に再締着することができない。
【０００５】
サイドパネルが互いに再締着可能に接合されても、互いに再締着不可能に接合されても、サイドパネルが互いに重なり合っている場合、シームが作り出される。
【０００６】
場合によっては、サイドパネルの取り外しを促進することができる、少なくとも１つのサイドパネルとともに、取り外しタブを実装することができる。例えば、再締着不可能な締着装置が利用される場合、取り外しタブに力を印加することで、サイドパネル間の壊れやすいシームを破断し、それによって、サイドパネルを取り外すことができる。別の実施例では、再締着可能な締着装置が利用される場合、取り外しタブに力を印加することで、再締着可能な締着装置の嵌め部材と受け部材との間の機械的付着を破断し、その結果、サイドパネルを取り外すことができる。
【０００７】
取り外しタブが無い場合、着用者又は介護人は、多くの場合、シームの一部分に力を印加する。例えば、着用者又は介護人は、サイドパネル間の壊れやすいシームを破断するために、シーム内のサイドパネル領域に力を印加し、それによって、サイドパネルを取り外してもよい。別の実施例として、着用者又は介護人は、シーム内のサイドパネル領域に力を印加して、サイドパネル間の機械的付着を破断してもよい。
【０００８】
一般的に、取り外しタブ及び／又はシーム領域内のサイドパネルは、それ自体が裂けることなく、壊れやすいシーム又は機械的付着を破断するのに十分強力であるべきである。しかしながら、コストを削減するために、より軽量な材料及びより低い引張強度を有する材料を使い捨て吸収性物品に利用できる。あいにく、これは取り外しタブ及び／又はサイドパネルが引張強度を失う原因となる可能性もある。
【発明の開示】
【発明が解決しようとする課題】
【０００９】
その結果として、補強シームを有する使い捨て吸収性物品の必要性が存在する。また、補強された取り外しタブを有する使い捨て吸収性物品の必要性も存在する。
【課題を解決するための手段】
【００１０】
本発明に従って構成された使い捨て吸収性物品は、補強締着シーム及び／又は補強された取り外しタブを有することができる。幾つかの実施形態では、着用者の胴体下部周囲に着用するための使い捨て吸収性物品は、第１の腰部区域と第２の腰部区域と、第１の腰部区域と第２の腰部区域との間に配置される股領域と、第１の腰縁部及び第２の腰縁部と、第１の長手方向縁部及び第２の長手方向縁部と、を含む。使い捨て吸収性物品は、シャーシ、第１のサイドパネル、第２のサイドパネル、及び補強要素を更に含んでもよい。シャーシは、トップシート、トップシートの少なくとも一部分に取り付けられるバックシート、及びトップシートとバックシートとの間に配置される吸収性コアを含む。
【００１１】
第１のサイドパネルは、第１の腰部区域内の第１の長手方向縁部から外側に向かって延在し、内端及び外端を含む。第２のサイドパネルは、第２の腰部区域内の第１の長手方向縁部から外側に向かって延在し、第１のサイドパネルは、第１のサイドパネルの外端に隣接する第２のサイドパネルに接合可能に構成される。補強要素は、第１のサイドパネルの外端に接合されるとともに第１のサイドパネルの外端に対応して設けられる。
【００１２】
他の実施形態では、着用者の胴体下部周囲に着用するための使い捨てパンツ状吸収性物品は、前側腰部区域と後側腰部区域と、前側腰部区域と後側腰部区域との間に配置される股領域と、使い捨てパンツ状吸収性物品の外側表面を形成する第１のバックシート層と、を有する外側カバーを含む。
【００１３】
使い捨てパンツ状吸収性物品は、第１の弾性延伸自在な前側サイドパネル、第２の弾性延伸自在な前側サイドパネル、第１の弾性延伸自在な後側サイドパネル、及び第２の弾性延伸自在な後側サイドパネルを更に含む。第１の弾性延伸自在な前側サイドパネル及び第２の弾性延伸自在な前側サイドパネルは、それぞれ第１のバックシート層の一部分に接合されるとともに第１のバックシート層から外側に向かって延在する。第１及び第２の前側サイドパネルは、第１の内端及び第１の外端を含み、第１の前側サイドパネルは、第１の外端に接合された第１の補強要素を含み、第１の前側サイドパネルの第１の外端に対応して設けられ、第２の前側サイドパネルは、第１の外端に接合された第１の補強要素を含み、第２の前側サイドパネルの第１の外端に対応して設けられる。
【００１４】
第１の弾性延伸自在な前側後側サイドパネル及び第２の弾性延伸自在な後側サイドパネルは、それぞれ第１のバックシート層の一部分に接合されるとともに第１のバックシート層から外側に向かって延在する。第１及び第２の後側サイドパネルは、第２の内端及び第２の外端を含み、第１の後側サイドパネルは、第２の外端に接合された第２の補強要素を含み、第１の後側サイドパネルの第２の外端に対応して設けられ、第２の後側サイドパネルは、第２の外端に接合された第２の補強要素を含み、第２の後側サイドパネルの第２の外端に対応して設けられる。第１及び第２の弾性延伸自在な前側サイドパネルは、第１及び第２の弾性延伸自在な後側サイドパネルに接合し、それによって、腰部開口部及び１組の脚部開口部を形成するように、構成される。
【００１５】
使い捨てパンツ状吸収性物品は、第１の長手方向縁部及び第２の長手方向縁部を有する吸収性組立体を更に含む。吸収性組立体は、トップシート、トップシートに対応する第２のバックシート層と、トップシートと第２のバックシート層との間に配置される吸収性コアを含む。第２のバックシート層は、第１のバックシート層の上に配置され、吸収性組立体は、第１及び第２の長手方向縁部が前側及び後側サイドパネルのそれぞれと離間した関係にあり、それによって、その間の前側長手方向非弾性部分及び背側長手方向非弾性部分を形成するように、使い捨てパンツ状吸収性物品の着用者に面する表面に取り付けられる。
【００１６】
使い捨てパンツ状吸収性物品は、第１のバリアレッグカフ及び第２のバリアレッグカフを更に含む。第１のバリアカフは、吸収性組立体の該第１の長手方向縁部に取り付けられる。第２のバリアカフは、吸収性組立体の第２の長手方向縁部に取り付けられる。
【発明を実施するための最良の形態】
【００１７】
定義：
本明細書で使用する時、用語「吸収性物品」及び「物品」は、液体を吸収し且つ／又は封じ込める着用可能なデバイスを指し、より具体的には、着用者の身体に接して又は近接して置かれて、身体から排泄される様々な排出物を吸収し封じ込めるデバイスを指す。好適な例としては、おむつ、トレーニングパンツ、再締着可能なパンツ、プルオン肌着、成人用失禁製品、及び生理用ナプキン等の女性ケア製品が挙げられる。更に、用語「吸収性物品」及び「物品」は、１０回以下の使用後、好ましくは５回以下の使用後、より好ましくは１回の使用後に、廃棄されることが意図され、洗濯されるか別の方法で復元されることが意図されない「使い捨て吸収性物品」を包含する（但し、特定の構成要素は、再利用、再使用、又は堆肥化されてもよい）。
【００１８】
本明細書で使用する時、用語「身体に面する」、「着用者に面する」、「衣類に面する」、及び「外側に面した」は、要素の相対位置、又は要素、或いは要素群の表面を指す。「身体に面する」、又は「着用者に面する」とは、要素又は表面が着用中に着用者により近いことを意味する。「衣類に面する」又は「外側に面した」は、着用中に要素又は表面が着用者からより離れている（即ち、要素又は表面が、使い捨て吸収性物品の上から着用することのできる着用者の衣類に近い）ことを意味する。
【００１９】
「おむつ」という用語は、本明細書で使用する時、一般に幼児及び失禁症者が腰及び脚を囲むように胴体下部周辺に着用し、並びに尿及び糞便排泄物を受容して収容するように特に適合されている吸収性物品を指す。「おむつ」という用語には、本明細書で使用する時、以下で定義されている「パンツ」も含まれる。
【００２０】
「弾性延伸自在な」は、本明細書で使用する時、延伸性材料を延伸させた力を取り除いた後、ほぼ元の寸法に戻る力を有する延伸性材料の特質を指す。本明細書では、「延伸性がある」と記載されている材料又は要素は、別途規定がない限り、「弾性延伸自在な」でもあり得る。
【００２１】
用語「繊維性基材」は、複数の繊維から構成されるウェブ材料を指す。繊維は、互いにランダム又は均一なパターンで噛み合わされてよい。基材の幾つかの例は、織布、不織布、又はこれらの組み合わせである。
【００２２】
本明細書で使用する時、用語「接合された」は、ある要素を他の要素に直接固着することによって、その要素が別の要素に直接固定された構成、並びに、ある要素を中間部材（１つ又は複数）に固着し、それが次に他の要素に固着されることによって、その要素が別の要素に間接的に固定された構成を包含する。
【００２３】
用語「長手方向」は、本明細書において、特に言及しない限り、要素の最も長い縁部にほぼ平行な方向を指すのに使用される。幾つかの使い捨て吸収性物品の文脈において、「長手方向」の方向は、一般的に、物品の腰縁部から向き合う腰縁部に垂直に走り、一般的に、物品の最大直線寸法と平行である。長手方向から±４５°以内の方向は、「長手方向」であると見なされる。
【００２４】
用語「横方向」は、「長手方向」の方向にほぼ垂直に通り、且つそれと同一面内にある方向を指す。使い捨て吸収性物品においては、「横方向」の方向は、物品の１つの長手方向縁部から物品の反対側の長手方向縁部まで通る。横方向の±４５°以内の方向は「横方向」であると見なされる。
【００２５】
「パンツ」、「トレーニングパンツ」、「閉鎖型おむつ」、「事前締着おむつ」、及び「プルオンおむつ」という用語は、本明細書で使用する時、乳児又は成人の着用者用の腰部開口部及び脚部開口部を有する使い捨て衣類を指す。パンツは、そのパンツが、着用者に着せられる前に、閉じた腰部及び脚部開口部を有するように構成することができ、又パンツは、着用者が身に着けている間に腰部が閉じられ、脚部開口部が形成されるように構成することができる。パンツは、いかなる好適な技法により予備形成されてもよく、これには再締着可能及び／又は再締着不可能な結合（例えば、縫い目、溶着、接着剤、凝集性結合、締着具など）を用いて物品の一部分を互いに接合することが挙げられるが、これらに限定されない。パンツは、物品の周囲に沿った任意の箇所で、予め形成（例えば、側面締着、前腰部締着、後腰部締着）されてよい。適切なパンツの例は、米国特許第５，２４６，４３３号、米国特許第５，５６９，２３４号、米国特許第６，１２０，４８７号、米国特許第６，１２０，４８９号、米国特許第４，９４０，４６４号、米国特許第５，０９２，８６１号、米国特許第５，８９７，５４５号、米国特許第５，９５７，９０８号、及び米国特許公開第２の００３／０２３３０８２Ａ１号に開示されている。
【００２６】
本明細書で使用する時、用語「再締着可能」は、２つ又はそれ以上の要素、或いは要素の一部分を締着要素で取り付けすることを指す。締着要素は、締着具の性能の重大な劣化又は物品の継続使用を損なう物品の周辺構成要素に損傷を与えることなく、引き離し、再び取り付けることができるように接合される。
【００２７】
本明細書で使用する時、用語「再締着不可能」は、要素、要素の一部分、及び／又は物品の周囲の構成要素に重大な劣化を与えることなく引き離す、及び再び取り付けることができないように、２つ又はそれ以上の要素又は要素の一部分を取り付けることを指す。
【００２８】
本明細書で使用される時、用語「補強要素」は、サイドパネル上に配置される繊維性基材を指す。「補強要素」は、嵌め合いフック、ループ、粘着テープなどのような締着要素又は締着コンポーネントを含まない。
【００２９】
説明：
本発明に従って構成された使い捨て吸収性物品は、補強締着シーム及び／又は補強された取り外しタブを提供することができる。図１Ａに示されるように、使い捨て吸収性物品１００の着用者に面する部分は、図を見る者の方に向いている。使い捨て吸収性物品１００は、第１の腰部区域１０６、第２の腰部区域１０８、及び第１の腰部区域１０６と第２の腰部区域１０８との間に配置される股領域１１０を含んでもよい。使い捨て吸収性物品１００は、シャーシ１４０を更に含んでもよい。幾つかの実施形態では、シャーシ１４０は、トップシート１７０、バックシート１６０、及び吸収性コア３２を含んでもよい。収性コア３２は、トップシート１７０とバックシート１６０との少なくとも一部分の間に配置されてもよい。
【００３０】
シャーシ１４０の周辺部は、長手方向縁部７５Ａ及び７５Ｂに、第１の腰縁部１５０、及び第２の腰縁部１５１で形成することができる。長手方向縁部７５Ａ及び７５Ｂは、使い捨て吸収性物品１００の長手方向中心線９０にほぼ平行に走る。第１の腰縁部１５０及び第２の腰縁部１５１は、使い捨て吸収性物品１００の横方向中心線８０とほぼ平行に走る。シャーシ１４０は、長手方向縁部７５Ａ及び７５Ｂに隣接して配置することができる弾性レッグ機構１３１を更に含んでもよい。
【００３１】
使い捨て吸収性物品１００は、幾つかの実施形態では、第１の腰部材１０２及び第２の腰部材１０４を更に含んでもよい。第１の腰部材１０２及び／又は第２の腰部材１０４は、弾性延伸自在なを有することができる。図示されるように、幾つかの実施形態において、第１の腰部材１０２は、第１の腰縁部１５０に隣接して設置することができる。幾つかの実施形態では、第２の腰部材１０４は、第２の腰縁部１５１に隣接して設置することができる。一般的に、第１の腰部材１０２及び／又は第２の腰部材１０４は、シャーシ１４０に取り付ける前に、張力を受けることができる。したがって、第１の腰部材１０２及び／又は第２の腰部材１０４に印加される張力の少なくとも一部分を解放に伴い、そこに取り付けられたシャーシ１４０の一部分は、波形を形成することができる。このシャーシ１４０の波形は、第１の腰部材１０２及び／又は第２の腰部材１０４並びにシャーシ１４０を延伸し、着用者の腰部の周りで収縮させ、それによって、より快適で改善されたフィット製を着用者に提供することを可能にする。
【００３２】
１組の第１のサイドパネル１２０Ａ及び１２０Ｂは、第１の腰部区域１０６内のシャーシ１４０の長手方向縁部７５Ａ及び７５Ｂから外側に延在することができる。１組の第２のサイドパネル１２２Ａ及び１２２Ｂは、第２の腰部区域１０８内のシャーシ１４０の長手方向縁部７５Ａ及び７５Ｂから外側に延在することができる。幾つかの実施形態では、第１のサイドパネル１２０Ａ及び１２０Ｂは、弾性延伸自在であってもよい。同様に、幾つかの実施形態では、第２のサイドパネル１２２Ａ及び１２２Ｂは、弾性延伸自在であってもよい。
【００３３】
幾つかの実施形態では、第１及び／又は第２のサイドパネル１２０Ａ、１２０Ｂ、１２２Ａ、及び１２２Ｂは、使い捨て吸収性物品１００に取り付けられた別個の引き離し要素から形成されてもよい。幾つかの実施形態では、第１及び／又は第２のサイドパネル１２０Ａ、１２０Ｂ、１２２Ａ、及び１２２Ｂは、使い捨て吸収性物品１００の要素で分割されておらず、不連続でもない、単一部品から構成されてもよい。例えば、幾つかの実施形態では、サイドパネルは、トップシート１７０の一部分を含んでもよい。別の実施例として、サイドパネルは、バックシート１６０の一部分を含んでもよい。更に別の実施形態として、サイドパネルは、バリアレッグカフの一部分を含んでもよい（以下に記載される）。
【００３４】
第１のサイドパネル１２０Ａは、内端１１９Ａ及び外端１２１Ａを含む。同様に、第１のサイドパネル１２０Ｂは、内端１１９Ｂ及び外端１２１Ｂを含む。更に、第１のサイドパネル１２０Ａ及び１２０Ｂのそれぞれは、内側領域１８１及び外側領域１８３を含む。内側領域１８１は、内端１１９Ａ及び１１９Ｂに隣接して配置される一方、外側領域は、外端１２１Ａ及び１２１Ｂに隣接して配置される。
【００３５】
また第２のサイドパネル１２２Ａは、内端１２３Ａ及び外端１２５Ａも含む。第２のサイドパネル１２２Ｂは、内端１２３Ｂ及び外端１２５Ｂを含む。第１のサイドパネル１２０Ａ及び１２０Ｂと同様に、第２のサイドパネル１２２Ａ及び１２２Ｂのそれぞれは、内側領域１９１及び外側領域１９３を含む。内側領域１９１は、内端１２３Ａ及び１２３Ｂに隣接して配置される一方、外側領域１９３は、外端１２５Ａ及び１２５Ｂに隣接して配置される。
【００３６】
第１のサイドパネル１２０Ａ及び１２０Ｂは、それらのそれぞれの内端１１９Ａ及び１１９Ｂに隣接するシャーシ１４０に接合されてもよい。同様に、第２のサイドパネル１２１Ａ及び１２１Ｂは、それらのそれぞれの内端１２３Ａ及び１２３Ｂに隣接するシャーシ１４０に接合されてもよい。
【００３７】
図示されるように、幾つかの実施形態では、使い捨て吸収性物品１００は、第１の補強要素２１０Ａ及び２１０Ｂを更に含んでもよい。第１の補強要素２１０Ａ及び２１０Ｂは、それぞれ、第１のサイドパネル１２０Ａ及び１２０Ｂの外端１２１Ａ及び１２１Ｂに隣接して配置されてもよい。第１の補強要素２１０Ａ及び２１０Ｂは、それぞれ、第１のサイドパネル１２０Ａ及び１２０Ｂの外側領域１８３に対応して設けられる。
【００３８】
更に、幾つかの実施形態では、使い捨て吸収性物品１００は、第２の補強要素２１２Ａ及び２１２Ｂを更に含んでもよい。第２の補強要素２１２Ａ及び２１２Ｂは、それぞれ、第２のサイドパネル１２２Ａ及び１２２Ｂの外端１２５Ａ及び１２５Ｂに隣接して配置されてもよい。第２の補強要素２１２Ａ及び２１２Ｂは、それぞれ、第２のサイドパネル１２２Ａ及び１２２Ｂの外側領域１９３に対応して設けられる。第１のサイドパネル及び第２のサイドパネルの内端、外端、内側領域、並びに外側領域は、図３Ａに関して、更に詳細に記載される。
【００３９】
図１Ｂに示されるように、第１のサイドパネル１２０Ａ及び１２０Ｂは、第２のサイドパネル１２２Ａ及び１２２Ｂに接合可能に構成される。例えば、幾つかの実施形態では、第１のサイドパネル１２０Ａは、第２のサイドパネル１２２Ａに接合することができる。同様に、幾つかの実施形態では、第１のサイドパネル１２０Ｂは、第２のサイドパネル１２２Ｂに接合することができる。第１のサイドパネル１２０Ａ及び第２のサイドパネル１２２Ａは、再締着不可能な形状で接合することができる。或いは、幾つかの実施形態では、第１のサイドパネル１２０Ａ及び第２のサイドパネル１２２Ａは、再締着可能な形状で接合することができる。
【００４０】
図示されるように、使い捨て吸収性物品１００は、締着された状態である。シャーシ１４０を第１のサイドパネル１２０Ａ及び１２０Ｂ、並びに第２のサイドパネル１２２Ａ及び１２２Ｂと併用することで、腰部開口部１３４及び１組の脚部開口部１３２を形成することができる。第１のサイドパネル１２０Ａ及び１２０Ｂ並びに／又は第２のサイドパネル１２２Ａ及び１２２Ｂは、着用者の脚の外側表面上に配置され得る脚部開口部１３２の一部分を形成することができる。股領域１１０（図１Ａに図示）は、第１の腰部区域１０６（図１Ａに図示）及び第２の腰部区域１０８（図１Ａに図示）とともに、着用者の脚の内側表面上に配置され得る脚部開口部１３２の一部分を形成することができる。
【００４１】
第１のサイドパネル１２０Ａを第２のサイドパネル１２２Ａに接合することで、シーム１７０Ａを形成することができる。同様に、第１のサイドパネル１２０Ｂを第２のサイドパネル１２２Ｂに接合することで、シーム１７０Ｂを形成することができる。シーム１７０Ａ及び１７０Ｂは、図示されるように、幾つかの実施形態では、重なり合うシームであってよい。他の実施形態では、シーム１７０Ａ及びシーム１７０Ｂは、バットシームであってよい。他の実施形態では、シーム１７０Ａは、重なり合うシームである一方、シーム１７０Ｂは、バットシームであってもよく、逆もまた同様である。
【００４２】
幾つかの実施形態では、第１のサイドパネル１２０Ａは、第２のサイドパネル１２２Ａに約２ｍｍ又はそれ以上重なり合うことができる。例えば、幾つかの実施形態では、第１のサイドパネル１２０Ａは、第２のサイドパネル１２２Ａに約２ｍｍ〜約３０ｍｍ、又は範囲内のいずれか１個の任意の数値分だけ重なり合うことができる。幾つかの実施形態では、約１１ｍｍ〜約２２ｍｍ重なり合うことができる。幾つかの実施形態では、第１のサイドパネル１２０Ａは、隣接する腰部開口部１３４との第１の距離だけ第２のサイドパネル１２２Ａに重なり合うとともに隣接する脚部開口部１３２との第２の距離だけ第２のサイドパネル１２２Ａに重なり合うことができる。幾つかの実施形態では、第１の距離は第２の距離と等しい。幾つかの実施形態では、第１の距離は、第２の距離を上回る。幾つかの実施形態では、第２の距離は、第１の距離を上回る。幾つかの実施形態では、第１のサイドパネル１２０Ｂ及び第２のサイドパネル１２２Ｂは、上記に記載されるように、互いに重なり合うことができる。
【００４３】
第１のサイドパネル１２０Ａは、シーム１７０Ａの衣類に面する表面上に示されるが、幾つかの実施形態では、第２のサイドパネル１２２Ａは、シーム１７０Ａの衣類に面する表面の一部分を形成してもよい。サイドパネル１２０Ｂ及び１２２Ｂを同様に構成することができる。
【００４４】
図示されるように、幾つかの実施形態では、第１のサイドパネル１２０Ａは、第１のサイドパネル１２０Ａの外端１２１Ａに隣接する第２のサイドパネル１２２Ａに接合することができる。第１のサイドパネル１２０Ａは、当該技術分野において既知の適した方法で、第２のサイドパネル１２２Ａに接合することができる。例えば、第１のサイドパネル１２０Ａを第２のサイドパネル１２２Ａに圧着してもよい。更に別の実施例では、第１のサイドパネル１２０Ａを第２のサイドパネル１２２Ａに接着剤で接合してもよい。更に他の実施例では、第１のサイドパネル１２０Ａを第２のサイドパネル１２２Ａに超音波で固着してもよい。更に他の実施例では、第１のサイドパネル１２０Ａを第２のサイドパネル１２２Ａに熱風で固着してもよい。熱風固着は、米国特許第６，２４８，１９５号に記載される。更に他の実施例では、第１のサイドパネル１２０Ａは、第１の機械的締着要素を含む一方、第２のサイドパネル１２２Ａは、第２の機械的締着要素を含んでもよい。第１の機械的締着要素は、第２の機械的締着要素と嵌合し、それによって、第１のサイドパネル１２０Ａと第２のサイドパネル１２２Ａとの間に機械的結合を形成するように構成することができる。第１のサイドパネルを第２のサイドパネルに接合するために適した方法の他の実施例には、凝集剤、接着剤、機械的締着具など、又はその組み合わせが挙げられる。
【００４５】
図１Ａに示されるように、第１のサイドパネル１２０Ａ及び１２０Ｂは、取り外しタブ１５を更に含んでもよい。取り外しタブ１５は、第１のサイドパネル１２０Ａ及び１２０Ｂを第２のサイドパネル１２２Ａ及び１２２Ｂにそれぞれ取り付けることを促進する場合がある。また、取り外しタブ１５は、第１のサイドパネル１２０Ａ及び１２０Ｂを第２のサイドパネル１２２Ａ及び１２２Ｂからそれぞれ取り外しを促進することができる。
【００４６】
本発明の利点は、シーム１７０Ａ（図１Ｂに図示）及び／又は１７０Ｂ（図１Ｂに図示）を補強要素２１０Ａ、２１０Ｂ、２１２Ａ、及び／又は２１２Ｂで補強できるということである。更に、第１のサイドパネル１２０Ａ及び／又は第１のサイドパネル１２０Ｂが取り外しタブ１５を含む際、取り外しタブ１５を補強要素２１０Ａ及び／又は２１０Ｂで同様に補強することができる。
【００４７】
図２Ａに示され、前途で述べられるように、幾つかの実施形態において、シーム１７０Ａは、重なり合うシームを含んでもよい。例えば、図示されるように、第１のサイドパネル１２０Ａの一部分は、第２のサイドパネル１２２Ａの一部分と重なり合ってもよい。また、図示されるように、幾つかの実施形態では、第１の補強要素２１０Ａは、第１のサイドパネル１２０Ａの着用者に面する表面２１５の上に配置することができる。幾つかの実施形態では、第２の補強要素２１２Ａは、第２のサイドパネル１２２Ａの着用者に面する表面２１５の上に配置することができる。
【００４８】
図２Ｂに示されるように、幾つかの実施形態では、第１のサイドパネル１２０Ａは、エラストマー要素２２２及びカバー層２２０を含んでもよい。同様に、幾つかの実施形態では、第２のサイドパネル１２２Ａは、エラストマー要素２３２及びカバー層２３０を含んでもよい。幾つかの実施形態では、第１の補強要素２１０Ａは、第１のサイドパネル１２０Ａの外側表面２１７の上に配置することができる。幾つかの実施形態では、図示されるように、第２の補強要素２１２Ａは、第２のサイドパネル１２２Ａの外側表面２１７の上に配置することができる。
【００４９】
本発明の補強要素は、他の要素の一部分を含んでもよい。例えば、幾つかの実施形態では、補強要素は、バックシート１６０の一部分を含んでもよい。他の実施形態では、補強要素は、カバー層２３０及び／又は２２０の一部分を含んでもよい。幾つかの実施形態では、補強要素は、使い捨て吸収性物品に接合された別個の引き離し要素を含んでもよい。
【００５０】
図３Ａに示されるように、幾つかの実施形態では、補強要素２１０Ａ及び／又は２１０Ｂは、第１のサイドパネル１２０Ａ及び／又は第１のサイドパネル１２０Ｂの着用者に面する表面２１５の上にそれぞれ配置することができる。更に、幾つかの実施形態では、補強要素２１０Ａ及び／又は２１０Ｂは、トップシート１７０とバックシート１６０との間に配置することができる。
【００５１】
図示されるように、補強要素２１０Ａは、横方向３９９に対してほぼ平行な補強要素幅３５０を有することができる。補強要素幅３５０は、補強要素２１０Ａの最も内側の点１５１Ａと最も外側の点１５１Ｂとの間の最大直線距離であってよい。幾つかの実施形態では、幅３５０は、約５ｍｍ〜約４０ｍｍ、又は範囲内のいずれか１個の任意の数値であってよい。他の実施形態では、幅３５０は、約１０ｍｍ〜約３０ｍｍであってよい。他の実施形態では、幅３５０は、約１５ｍｍ〜約２０ｍｍであってよい。
【００５２】
更に、幾つかの実施形態では、補強要素２１０Ａは、第１のサイドパネル１２０Ａの外端１２１Ａの一部分を形成することができる。幾つかの実施形態では、補強要素２１０Ａは、第１のサイドパネル１２０Ａの外端１２１Ａから内側に配置することができる。前途の通り、補強要素２１０Ａは、外側領域１８３を形成することができる。
【００５３】
外側領域１８３は、第１の補強要素２１０Ａの最も内側の点１５１Ａ及び第１のサイドパネル１２０Ａの外端１２１Ａにより形成される。幾つかの実施形態では、補強要素２１０Ａは、外側領域１８３と同一の広がりを持つ。
【００５４】
図示されるように、幾つかの実施形態では、内側領域１８１は、内端１１９Ａから補強要素２１０Ａの最も内側の点１５１Ａに延在することができる。更に、補強要素２１０Ａの最も内側の点１５１Ａは、第１のサイドパネル１２０Ａの内端１１９Ａの外側に配置される。
【００５５】
図３Ｂに示されるように、幾つかの実施形態では、補強要素２１０Ａ及び／又は２１０Ｂは、第１のサイドパネル１２０Ａと、バックシート１６０と、第１のサイドパネル１２０Ｂと、バックシート１６０、との間にそれぞれ配置することができる。図３Ｃに示されるように、幾つかの実施形態では、補強要素２１０Ａ及び／又は２１０Ｂは、バックシート１６０の衣類に面する表面２１９の上に配置することができる。
【００５６】
図３Ｄに示されるように、幾つかの実施形態では、前途に記載されるように、第１のサイドパネル１２０Ａ及び／又は１２０Ｂは、カバー層２２０及びエラストマー要素２２２を含んでもよい。図示されるように、幾つかの実施形態では、補強要素２１０Ａ及び／又は２１０Ｂは、第１のサイドパネル１２０Ａ及び第１のサイドパネル１２０Ｂのカバー層２２０の着用者に面する表面３１５の上にそれぞれ配置することができる。
【００５７】
図３Ｅに示されるように、幾つかの実施形態では、補強要素２１０Ａ及び／又は２１０Ｂは、第１のサイドパネル１２０Ａ及び第１のサイドパネル１２０Ｂのカバー層２２０とエラストマー要素２２２との間にそれぞれ配置することができる。図３Ｆに示されるように、幾つかの実施形態では、補強要素２１０Ａ及び／又は２１０Ｂは、第１のサイドパネル１２０Ａ及び第１のサイドパネル１２０Ｂのエラストマー要素２２２とバックシート１６０との間にそれぞれ配置することができる。図３Ｇに示されるように、幾つかの実施形態では、補強要素２１０Ａ及び／又は２１０Ｂは、バックシート１６０の外側表面２１９の上に配置することができる。
【００５８】
第２のサイドパネル１２２Ａ（図１Ａ及び１Ｂに図示）及び／又は第２のサイドパネル１２２Ｂ（図１Ａ及び１Ｂに図示）は、第１のサイドパネル１２０Ａ及び１２０Ｂと同様な方法で構成することができる。前述されるように、第２のサイドパネル１２２Ａ及び１２２Ｂは、補強要素を含んでもよい。例えば、補強要素２１２Ａ（図１Ａ、２Ａ、及び２Ｂに図示）は、第２のサイドパネル１２２Ａに対応し、上記に記載されるように、補強要素２１０Ａ及び２１０Ｂと同様に構成することができる。更に、補強要素２１２Ｂ（図１Ａに図示）は、前述の補強要素２１０Ａ及び２１０Ｂと同様の方法で構成することができる。
【００５９】
他の実施形態では、図４に示されるように、エラストマー要素２２２は、エラストマー要素２２２及びカバー層２２０が同一の広がりを持たないように構成することができる。例えば、エラストマー要素２２２の最も外側の末端部４１１Ｂは、非弾性間隙３５２により、バックシート１６０の最も外側の末端部１５３Ｂ及び／又はサイドパネルの外端１２１Ａから離間して内側に配置することができる。非弾性間隙３５２は、横方向３９９に対してほぼ平行であり、外端１２１Ａに隣接して長手方向に延在してもよい。非弾性間隙３５２は、任意の適した長さであってよい。幾つかの実施形態では、非弾性間隙３５２は、補強要素２１０Ａの幅３５０（図３Ａに図示）と同等であってよい。他の実施形態では、エラストマー要素２２２は、エラストマー要素２２２が補強要素２１０Ａに重ならないように構成することができる。幾つかの実施形態では、エラストマー要素２２２は、エラストマー要素２２２がサイドパネルの外端１２１Ａに延在するように構成することができる。
【００６０】
幾つかの実施形態では、非弾性間隙３５２は、約５ｍｍ〜約３０ｍｍ、又は範囲内のいずれか１個の任意の数値であってよい。幾つかの実施形態では、非弾性間隙３５２は、約１０ｍｍ〜約２０ｍｍであってよい。第１のサイドパネル１２０Ｂ、第２のサイドパネル１２２Ａ、及び／又は第２のサイドパネル１２２Ｂを同様に構成してもよい。
【００６１】
エラストマー要素２２２が高品質エラストマー材を含む場合、非弾性間隙３５２を含有することは、コストを削減することに等しい。例えば、非弾性間隙３５２の利用は、従来の使い捨て吸収性物品と比較し、同程度のフィット及び伸張を着用者に提供することを可能にしながら、サイドパネルに利用されるエラストマー材の量を削減することができる。
【００６２】
前述の補強要素は、多様な異なる方法で使い捨て吸収性物品に実装することができる。例えば、補強要素は、使い捨て吸収性物品のプロセス中に、材料の別個の部品として使い捨て吸収性物品に配置することができる。他の実施形態では、補強要素は、他の要素、例えば、バックシート、カバー層、及び／又はトップシートの一部分を利用して構成されてもよい。適した実施形態の例は、図５Ａ〜５Ｃ及び６Ａ〜６Ｃに関して記載される。
【００６３】
図５Ａ〜５Ｃに示されるように、幾つかの実施形態では、バックシート１６０は、物品の製造プロセス中、補強要素２１０Ａ及び２１０Ｂがバックシート１６０の一部分を含むように折り畳むことができる。例えば、図５Ａに示されるように、バックシート１６０は、補強要素２１０Ａ及び／又は２１０Ｂが第１のサイドパネル１２０Ａとバックシート１６０との間、及び／又は第１のサイドパネル１２０Ｂとバックシート１６０との間にそれぞれ配置されるように、折り畳むことができる。別の実施例では、図５Ｂに示されるように、バックシートは、補強要素２１０Ａ及び／又は２１０Ｂが第１のサイドパネル１２０Ａ及び／又は１２０Ｂの着用者に面する表面２１５の上に配置されるように、折り畳むことができる。更に別の実施例では、図５Ｃに示されるように、補強要素２１０Ａ及び／又は２１０Ｂがバックシート１６０の外側表面２１９の上に配置されるように、バックシート１６０を折り畳むことができる。
【００６４】
図５Ａ〜５Ｃに示される実施形態の特定利点の１つは、バックシートは、バックシートが折り畳まれていない実施形態より低い坪量の不織布から作ることができるということである。例えば、多くのプロセスでは、使い捨て吸収性物品は、プロセスされる際、第１のトリムライン４１０Ａ及び第２のトリムライン４１０Ｂに沿って切断される。トリミングプロセスは、砂時計の輪郭の使い捨て吸収性物品を提供することができる。
【００６５】
バックシートが折り畳まれていない場合、バックシートに使用される基材の坪量は、例えば、約２７ｇｓｍであり得る。バックシートが折り畳まれていないこれらの用途において、より軽量な坪量基材は、トリミングプロセス中に破断し、それによって、プロセスに問題を引き起こし、プロセスラインを停止させる場合がある。しかしながら、例えば、図５Ａから図５Ｃのバックシートが折り畳まれている実施形態では、使い捨て吸収性物品のトリムされた部分は、バックシートの折り畳まれた部分のため、破断する可能性が低い。その結果として、トリムプロセス中に問題が起こる可能性を増加することなく、より軽量な坪量をバックシートに利用できる。バックシートに適した坪量を以下に記載する。
【００６６】
図６Ａ〜６Ｃに示されるように、第１のサイドパネル１２０Ａ及び１２０Ｂのカバー層２２０は、補強要素２１０Ａ及び／又は２１０Ｂがカバー層２２０の一部分を含むように折り畳むことができる。例えば、図６Ａに示されるように、カバー層２２０は、補強要素２１０Ａ及び／又は２１０Ｂがバックシート１６０の外側表面２１９の上に配置されるように、折り畳むことができる。別の実施例では、図６Ｂに示されるように、カバー層２２０は、補強要素２１０Ａ及び／又は２１０Ｂがカバー層２２０とエラストマー要素２２２との間に配置されるように、折り畳むことができる。更に別の実施例では、図６Ｃに示されるように、カバー層２２０は、補強要素２１０Ａ及び／又は２１０Ｂがエラストマー要素２２２とバックシート１６０との間に配置されるように、折り畳むことができる。
【００６７】
前述の補強要素２１０Ａ及び２１０Ｂは、同様に構成することができる。しかしながら、補強要素２１０Ａ及び２１０Ｂは、同様に構成する必要はない。例えば、上記の実施形態のいずれの組み合わせは、使い捨て吸収性物品内に利用できる。更に、補強要素２１２Ａ（図１Ａ、２Ａ、及び２Ｂに図示）及び／又は２１２Ｂ（図１Ａに図示）は、前述されるように構成することができる。バックシート１６０及び／又はカバー層２２０が折り畳まれ、トリムされていない実施形態が考慮される。
【００６８】
図７は、本発明に従って構成された使い捨て吸収性物品６００の拡大断面図である。使い捨て吸収性物品６００は、第１のバックシート層６４１、前側腰部区域、後側腰部区域、及びそれらの間に配置される股領域を含む外側カバー６４０を含んでもよい。使い捨て吸収性物品６００は、吸収性組立体６５０を更に含んでもよい。吸収性組立体６５０は、第１の長手方向縁部６７５Ａ及び第２の長手方向縁部６７５Ｂを含んでもよい。また吸収性組立体６５０は、トップシート１７０、第２のバックシート層６４２、及び吸収性コア３２を含んでもよい。吸収性組立体６５０は、吸収性組立体６５０が使い捨て吸収性物品６００の着用者に面する表面６１５の一部分を形成するように第１のバックシート層６４１に接合されてもよい。更に、幾つかの実施形態では、吸収性組立体６５０は、第１の長手方向縁部６７５Ａが第１のサイドパネル６２０Ａから第１の間隙６８０によって離間するように接合することができ、第２の長手方向縁部６７５Ｂは、第１のサイドパネル６２０Ｂから第２の間隙６８２によって離間するように外側カバー６４０を接合することができる。
【００６９】
幾つかの実施形態では、第１のサイドパネル６２０Ａは、第１のバックシート層６４１の着用者に面する表面上に配置することができる。幾つかの実施形態では、サイドパネル６２０Ｂは、第１のバックシート層６４１の着用者に面する表面上に配置することができる。サイドパネル６２０Ａ及び第１のサイドパネル６２０Ｂは、本明細書に記載のサイドパネルと同様に構成することができる。
【００７０】
使い捨て吸収性物品６００は、吸収性組立体６５０の長手方向縁部６７５Ａ及び６７５Ｂに隣接するトップシート１７０に取り付けられる、少なくとも２つのバリアレッグカフ６５２及び６５４を含んでもよい。またバリアレッグカフ６５２及び６５４は、第１のバックシート層６４１に取り付けることができる。
【００７１】
バリアレッグカフ６５２は、遠位端６６０及び近位端６６５を含む一方、バリアレッグカフ６５４は、遠位端６６７及び近位端６６８を含む。バリアレッグカフ６５２の近位端６６５は、第１のサイドパネル６２０Ａ及び第２のバックシート層６４２に重なり合うように接合することができる。同様に、バリアレッグカフ６５４の近位端６６８は、第１のサイドパネル６２０Ｂ及び第２のバックシート層６４２に重なり合うように接合することができる。バリアレッグカフ６５２の遠位端６６０は、トップシート１７０に接合することができ、バリアレッグカフ６５４の遠位端６６７は、トップシート１７０に接合することができる。
【００７２】
図示されるように、幾つかの実施形態では、バリアレッグカフ６５２及び６５４は、第１のサイドパネル６２０Ａと６２０Ｂとの間の第１のバックシート層６４１のそれぞれに、及び第２のバックシート層６４２に接合することができる。バリアレッグカフ６５２及び６５４を第１のバックシート層６４１に取り付けることで、第１の間隙６８０及び第２の間隙６８２を形成することができる。第１の間隙６８０は、第１のサイドパネル６２０Ａの長さにわたって長手方向に延在することができる。同様に、第２の間隙６８２は、第１のサイドパネル６２０Ｂの長さにわたって長手方向に延在することができる。第１の間隙６８０は、第１のサイドパネル６２０Ａと第２のバックシート層６４２との間に配置される、使い捨て吸収性物品６００の第１の非弾性領域６７１の幅を形成することができ、第２の間隙６８２は、第１のサイドパネル６２０Ｂと第２のバックシート層６４２との間に配置される、使い捨て吸収性物品６００の第２の非弾性領域６７２の幅を形成することができる。
【００７３】
非弾性領域６７１及び６７２の包含は、プルオンおむつのような従来の使い捨てパンツタイプ衣類と比べて多くの利点を提供することが可能である。例えば、非弾性領域６７１及び６７２の包含は、第１のサイドパネル６２０Ａ及び第１のサイドパネル６２０Ｂが高品質エラストマー材を含む場合、コスト削減を意味することができる。このエラストマー材の節減によって、少なくとも１日に数十万個製造される使い捨てプルオン衣料のコストを大幅に削減することができる。即ち、第１のサイドパネル６２０Ａ、第１のサイドパネル６２０Ｂ、及び使い捨て吸収性物品の第２のサイドパネルに使用されるエラストマー材の量を最小限に抑える一方で、使い捨て吸収性物品は、従来の使い捨てパンツタイプ衣類より優れているとまではいかなくとも今もなお同等のフィット及び伸張を提供する。
【００７４】
第１及び第２の間隙６８０及び６８２は、横方向６９９におけるいずれの適した幅であってもよい。例えば、一実施形態では、第１及び第２の間隙６８０及び６８２の幅は、約０．５ｍｍ〜約２６ｍｍ、又は範囲内のいずれか１個の任意の数値に及んでもよい。別の実施形態では、第１及び第２の間隙６８０並びに６８２の幅は、約０．５ｍｍ〜約２０ｍｍに及んでもよい。更に別の実施形態では、第１及び第２の間隙６８０並びに６８２の幅は、約１ｍｍ〜約１５ｍｍに及んでもよい。第１の間隙６８０及び第２の間隙６８２は、非弾性領域６７１及び６７２とともに、米国特許出願公報第２００４／０２２５２７３Ａ１号に記載される。
【００７５】
バリアレッグカフ６５２及び６５４は、液体及び他の身体排出物の封じ込めを改善することができる。更に、これらのバリアレッグカフ６５２及び６５４は、脚領域の身体排出物の漏れを軽減するために、幾つかの異なる実施形態を含んでもよい。本発明で使用するための好適なバリアレッグカフの具体例は、米国特許第３，８６０，００３号、米国特許第４，９０９，８０３号、米国特許第４，６９５，２７８号、米国特許第４，７９５，４５４号、米国特許第４，７０４，１１５号、及び米国特許第４，８０８，１７８号に見い出すことができる。
【００７６】
更に、バリアレッグカフ６５２及び６５４は、当該技術分野において既知のいずれかの適した取り付け手段又は取り付け手段方法のいずれかの適した組み合わせにより、使い捨て吸収性物品１００Ｃに取り付けてもよい。好適な取り付け手段の幾つかの例としては、接着剤接着、熱接着、圧力接着、超音波接着、及び動的機械的結合が挙げられるが、これらに限定されない。加えて、幾つかの実施形態では、レッグカフのすべて又は一部分を、それが遭遇する糞便物質の硬さを増加させるか又は低減させるローション又は糞便改質剤で処理するのが望ましい場合がある。ローション並びに糞便改質剤は、米国特許公開第２００４／００３９３６２Ａ１及び米国特許第６，６３９，１１９号に説明されている。
【００７７】
使い捨て吸収性物品６００は、補強要素６１０Ａ及び６１０Ｂを更に含んでもよい。幾つかの実施形態では、補強要素６１０Ａ及び６１０Ｂは、使い捨て吸収性物品６００の着用者に面する表面６１５の上に配置することができる。補強要素６１０Ａ及び６１０Ｂは、前述される補強要素と同様に構成し、作製してもよい。
【００７８】
本発明の使い捨て吸収性物品は、幅広い種類の材料が使用することができる、多くの異なる部材／要素、例えば、補強要素、トップシート、バックシート、吸収性コアなどを含む。例えば、いずれの適した材料を補強要素及び／又はカバー層に使用することができる。補強要素及び／又はカバー層は、適合性があり、柔らかであってよい。更に、補強要素及び／又はカバー層は、着用者の皮膚と接触し得るため、幾つかの実施形態では、補強要素及び／又はカバー層は、着用者の皮膚に刺激がないようにすることができる。例示的な補強要素及び／又はカバー層は、不織布を含む。
【００７９】
補強要素、カバー層、及び／又はバックシートの一部分として使用するための不織布の適した実施例は、ポリプロピレン、ポリエチレン、ポリエステル、ナイロン、セルロース、ポリアミド、又はこのような材料の組み合わせから作られる繊維を含んでもよい。１つの材料の繊維、又は異なる材料の繊維、又は材料の組み合わせの繊維を、第１及び／又は第２の不織布において使用してもよい。代表的な不織布材としては、スパンボンド、スパンボンド・メルトブロウン・スパンボンド（ＳＭＳ）、スパンボンド・メルトブロウン・メルトブロウン・スパンボンド（ＳＭＭＳ）、カード及び同種のものが挙げられる。特に受け入れられる不織布には、高伸長カード（ＨＥＣ）不織布及び深活性化（deep activation）ポリプロピレン（ＤＡＰＰ）不織布が挙げられる。当該技術分野において既知のいかなるプロセスを用いて、不織布を作製してもよい。
【００８０】
不織布は、内部で結合された繊維を含んでもよく、ニードルパンチ、水流交絡、スパンボンド、熱接着、並びにラテックス接着、粉末接着などの様々な種類の化学結合、及び同様に結合された繊維が挙げられる。特定の実施形態では、不織布の坪量は約１０ｇｓｍ〜約４０ｇｓｍの範囲、又はかかる範囲内の任意の特定の数値であり得る。
【００８１】
繊維は任意の好適な寸法であってよい。幾つかの実施形態において、繊維が有するデニールは、約１〜約１０の範囲に及んでいても、この範囲内の任意の１個の数値であってもよい。幾つかの実施形態において、繊維のデニールは、約１〜約８の範囲に及び得る。幾つかの実施形態において、繊維のデニールは、約１〜約５の範囲に及び得る。
【００８２】
幾つかの実施形態では、補強要素は、結合剤を含んでもよい。例えば、補強要素は、接着剤を含んでもよい。任意の好適な接着剤を本発明において使用することができる。例えば、接着剤は、スチレン−イソプレン−スチレン、スチレン−ブタジエン−スチレン又はその組み合わせ等のスチレン−オレフィン−スチレン三元ブロックコポリマー類を含んでもよい。
【００８３】
別の実施例として、補強要素は、ポリマーを含んでもよい。幾つかの実施形態では、補強要素は、低融点高弾性率ポリマーを含んでもよい。当該技術分野において既知の任意の好適なポリマーを使用することができる。好適なポリマーの幾つかの例としては、高弾性率ホットメルトポリマーが挙げられ、又は溶融ポリマーが挙げられてもよい。任意の好適な溶融ポリマーを使用することができる。溶融ポリマーの一部分の例には、ポリエチレン、ポリプロピレン、他同種のもの、又はそれらの任意の好適な組み合わせが挙げられる。
【００８４】
幾つかの実施形態では、結合剤は、坪量約１５ｇｓｍ〜約１００ｇｍｓの範囲、又は範囲内のいずれか１個の任意の数値量で塗布されてもよい。幾つかの実施形態では、結合剤は、坪量約３０ｇｓｍ〜約８０ｇｍｓの範囲で塗布することができる。幾つかの実施形態では、結合剤は、坪量約５０ｇｓｍ〜約６０ｇｍｓの範囲で塗布することができる。
【００８５】
本発明のエラストマー要素は、弾性ストランド及び／又は弾性フィルムを含んでもよい。当該技術分野において既知のいかなる適切な弾性フィルムを用いることもできる。適切な弾性フィルムは、ポリプロピレン、ポリエチレン、ポリオレフィン、スチレン−イソプレン−スチレン、スチレン−ブタジエン−スチレン、又はこれらの混合物を含んでもよい。弾性フィルムの坪量は、約１０ｇｓｍ〜約１００ｇｓｍの範囲、又は範囲内のいずれか１個の数値であってもよい。
【００８６】
適した弾性ストランドの例は、反発性弾性熱可塑性材料から作製することができる。弾性ストランドは、液体弾性体から作製してもよく、この液状弾性体は、ダイを通して押し出されて、ストランド弾性体の所望の直径及び／又は形を実現させる。押し出された弾性ストランドの形は、限定されない。例えば、典型的な弾性ストランドは円形の断面の形を含むが、弾性ストランドが、三葉（trilobal）の形又は平坦な（即ち「リボン」状の）形などの異なる形を有してもよい。適切な弾性ストランドの形としては、矩形、円形、楕円形、菱形、三角形、平行四辺形、台形、楔形又は円形若しくは楕円形の他の部分、他の多角形、或いは他の不規則な閉じた形が挙げられる。更に、特定の用途に適応させるために、弾性ストランドの厚さ又は直径を変更してもよい。一般的に、弾性ストランドの厚さは約０．０２ｍｍ〜約１ｍｍの範囲であり、坪量は、約２０ｇ／ｍ２〜約３００ｇ／ｍ２の範囲、又は範囲内のいずれか１個の任意の数値であってもよい。
【００８７】
弾性ストランドは、基材にいずれの適したプロセスで塗布してもよい。例えば、幾つかの実施形態では、弾性ストランドは、押出及び／又は印刷により、基材に塗布してもよい。弾性ストランドを基材に塗布する、又は弾性ストランドを基材に押出するために適した装置の例は、米国出願公報第２００４／０２３８１０５Ａ１号、米国出願公報第２００５／０２４１７７３号、米国出願公報第２００５／０１７８４９４号、米国出願公報第２００５／０２４１５７５号、及び米国出願公報第２００５／０２４１５７４号に記載される。
【００８８】
弾性要素を任意の配向で印刷するために適した装置及び方法の例は、米国出願公報第２００４／０１８１２００号、及び米国出願公報第２００４／０１９３１３３に記載される。弾性ストランドの印刷に関し、個々の弾性ストランドは、一般的に約２ｍｍ未満及び典型的に約１ｍｍ未満の幅を有する線又はストランドとして構成されてよい。線状弾性ストランドは、一般的に約２ｍｍ〜約２０ｍｍの幅、及び約２：１〜約１００：１の範囲のアスペクト比を有するバンドとして構成されてよい。典型的には、弾性ストランドの厚さは、約０．０２ｍｍ〜約５ｍｍの範囲であることができ、坪量は約２０ｇ／ｍ２〜約３００ｇ／ｍ２の範囲である。
【００８９】
当該技術分野において既知の、本発明に適合する任意のトップシートを、本発明において使用することができる。トップシートに好適な材料は、多孔質発泡体、網状発泡体、有孔プラスチックフィルム、又は、天然繊維（例えば木繊維若しくは綿繊維）、合成繊維（例えば、ポリエステル若しくはポリプロピレン繊維）、若しくは天然繊維と合成繊維の組み合わせの織布又は不織布材料など、広範囲にわたる材料から製造してもよい。一例として、トップシートにおける使用に好適なある材料は、ステープル長のポリプロピレン繊維のウェブを備えており、このウェブは、マサチューセッツ州ウォルポール（Walpole）のインターナショナルペーパーカンパニー（International Paper Company）の一部門であるベラテック社（Veratec、Inc．）によってＰ−８の呼称で製造されている。
【００９０】
好適なトップシートの幾つかの例が、米国特許第３，９２９，１３５号、米国特許第４，３２４，２４６号、米国特許第４，３４２，３１４号、米国特許第４，４６３，０４５号、米国特許第５，００６，３９４号、米国特許第４，６０９，５１８号、米国特許第４，６２９，６４３号に更に記載されている。トップシートのいずれかの部分を、当該技術分野において既知のローションでコーティングしてもよい。好適なローションの例には、米国特許第５，６０７，７６０号、米国特許第５，６０９，５８７号、米国特許第５，６３５，１９１号、米国特許第５，６４３，５８８号、米国特許第５，９６８，０２５号、米国特許第６，７１６，４４１号、及び国際公開公報第９５／２４１７３号に記載されたローションが挙げられる。
【００９１】
更に、トップシートは、全体に又は部分的に弾性延伸自在なを有していてもよく、又は、トップシートと吸収性コアとの間に空隙を設けるように縮められていてもよい。弾性化又は短縮されたトップシートを包含する代表的な構造が、米国特許第４，８９２，５３６号、米国特許第４，９９０，１４７号、米国特許第５，０３７，４１６号、及び米国特許第５，２６９，７７５号により詳細に記載されている。
【００９２】
本発明の使い捨て吸収性物品において使用するのに好適なバックシートは、積層構造体を備えていてもよい。例えば、先に検討したように、バックシートは、第１のバックシート層と第２のバックシート層と（図２Ｃの品目２４１及び２４２参照）を含んでもよい。第２のバックシート層は、液体（例えば、尿）に対して不透過性であり、また例えば、約０．０１２ｍｍ（０．５ミル）〜約０．０５１ｍｍ（２．０ミル）の厚さを有する熱可塑性フィルムのような薄いプラスチックフィルムを含み得る。適切なバックシートフィルムとしては、トレデガー社（Tredegar Corporation）（本拠地バージニア州リッチモンド）により製造され、商標名ＣＰＣ２フィルムとして販売されているものが挙げられる。蒸気をプルオン肌着から逃がすことができ、一方で排出物がバックシートを通過するのを依然として防止する通気性材料を、第１のバックシート層及び／又は第２のバックシート層のいずれかが有していてもよい。適した通気性材料としては、織布ウェブ、不織布ウェブ、フィルムコーティングされた不織布ウェブなどの複合材料、三井東圧（Mitsui Toatsu Co.）（日本）によりＥＳＰＯＩＲ  ＮＯ（商標）の表記で製造されるもの及びトレデガー（Tredegar）社（バージニア州リッチモンド（Richmond））により製造されてＥＸＡＩＲＥ（商標）の表記で販売されるもののようなミクロ孔質フィルム、並びにクロペイ社（Clopay Corporation）（オハイオ州シンシナティ（Cincinnati））によりＨＹＴＲＥＬブレンドＰ１８−３０９７の名称で製造されるものなどのモノリシックフィルムなどの材料を挙げてもよい。幾つかの通気性複合材料が、ＰＣＴ特許出願国際公開公報第９５／１６７４６号、米国特許第５，９３８，６４８号、米国特許第５，８６５，８２３号、及び米国特許第５，５７１，０９６号により詳細に記載されている。
【００９３】
バックシート又はそのいずれかの部分は、１以上の方向で弾性延伸自在なであってもよい。一実施形態では、バックシートは構造的弾性様フィルム（「ＳＥＬＦ」）ウェブを含んでもよい。構造的弾性様フィルムウェブは、追加の弾性材料を用いることなく伸長方向において弾性様挙動を示す延伸性材料であり、米国特許第５，５１８，８０１号により詳細に記載されている。代替実施形態では、バックシートは、弾性フィルム、発泡体、ストランド、若しくは、それら又は他の好適な材料と不織布若しくは合成フィルムとの組み合わせを含んでもよい。
【００９４】
幾つかの実施形態では、吸収性物品のバックシートは、実質的に蒸気透過性の材料を含む。例えば、幾つかの実施形態では、バックシートは、少なくとも水蒸気に対して透過性となるように構成することができ、少なくとも１０００ｇ／ｍ２／２４時間、好ましくは少なくとも１５００ｇ／ｍ２／２４時間、より好ましくは少なくとも２０００ｇ／ｍ２／２４時間、更により好ましくは少なくとも３０００ｇ／ｍ２／２４時間の湿気透過速度（ＭＶＴＲ）を有することができる。幾つかの実施形態では、バックシートは、１０００〜６０００ｇ／ｍ２／２４時間の範囲、又は範囲内のいずれか１個の任意の数値の湿気透過速度を有してもよい。幾つかの通気可能なバックシート材料は、ＰＣＴ出願国際公開公報第９５／１６７４６号、米国特許第５，９３８，６４８号、米国特許第５，８６５，８２３号、及び米国特許第５，５７１，０９６号により詳細に記載される。他の適した例示的な材料及びＭＶＴＲを測定するための適した試験方法は、米国特許第６，４４８，４６７号に記載される。
【００９５】
本発明に使用するのに適した吸収性コアは、一般に圧縮可能で、順応性があり、着用者の皮膚に刺激がなく、且つ尿及び他の特定の身体排出物などの液体を吸収し保持することができる、あらゆる吸収性材料を含んでもよい。それに加えて、吸収性コアの構成及び構造も様々であってもよい（例えば、吸収性コア（１つ若しくは複数）又は他の吸収性構造（１つ若しくは複数）は、変化するキャリパーゾーン、親水性勾配（１つ若しくは複数）、超吸収性勾配（１つ若しくは複数）、又はより低い平均密度及びより低い平均坪量の獲得区域を有してもよく、或いは１以上の層若しくは構造を含んでもよい）。吸収性コアとして使用するのに好適な例示的な吸収性構造体が、米国特許第４，６１０，６７８号、米国特許第４，６７３，４０２号、米国特許第４，８３４，７３５号、米国特許第４，８８８，２３１号、米国特許第５，１３７，５３７号、米国特許第５，１４７，３４５号、米国特許第５，３４２，３３８号、米国特許第５，２６０，３４５号、米国特許第５，３８７，２０７号、及び米国特許第５，６２５，２２２号に記載されている。
【００９６】
バックシートは、当該技術分野において既知のあらゆる取り付け手段によって、トップシート、吸収性コア、又は使い捨て吸収性物品の他のあらゆる要素に取り付けられてもよい。例えば、取り付け手段としては、接着剤の均一な連続層、接着剤のパターン付き層、又は接着剤の分離した線、らせん、若しくは点の配列を挙げることができる。幾つかの好適な取り付け手段が、米国特許第４，５７３，９８６号、米国特許第３，９１１，１７３号、米国特許第４，７８５，９９６号、及び米国特許第４，８４２，６６６号に開示されている。好適な接着剤の例が、ミネソタ州セントポール（St．Paul）のＨ．Ｂ．フーラー社（H． B． Fuller Company）によって製造され、ＨＬ−１６２０及びＨＬ  １３５８−ＸＺＰとして販売されている。或いは、取り付け手段は、熱ボンド、圧力接着、超音波接着、動的機械的接着、若しくは当該技術分野で既知の他の任意の適切な取り付け手段、又はこれら取り付け手段の組み合わせを含むことができる。
【００９７】
様々な副層が、トップシートとバックシートの間に配置されてもよい。副層は、排泄物を受容し、格納し、又は不動化することができるあらゆる材料若しくは構造であってもよい。したがって、副層は、単一材料、又は互いに動作可能に関連付けられた多数の材料を包含してもよい。更に、副層は、プルオン使い捨て吸収性物品の他の要素と一体であることも、使い捨て吸収性物品の１以上の要素と直接的に若しくは間接的に取り付けられた１以上の別々の要素であることもある。更に、副層は、吸収性コアから分離した構造体を包含してもよく、又は吸収性コアの少なくとも一部分を包含するか若しくはその一部分であってもよい。
【００９８】
副層として使用するのに好適な例示的な材料には、大気泡の連続発泡体、マクロ孔質で圧縮耐性の不織布嵩高体、大型の粒状形態の連続気泡発泡体及び独立気泡発泡体（マクロ及び／又はミクロ孔質）、嵩高不織布、ポリオレフィン、ポリスチレン、ポリウレタン発泡体又は粒子、垂直向きにループが形成された多数の繊維ストランドを備える構造体、パンチ穴又は窪みを有する上述の吸収性コア構造体、及び他同種のものを挙げることができる。（本明細書で使用する時、用語「ミクロ孔質」とは、毛管現象によって流体を移送できる材料を指す。用語「マクロ孔質」とは、孔が大きすぎて流体の毛管移送ができない材料を指し、一般に直径が約０．５ｍｍよりも大きい孔を有し、より厳密には、直径が約１．０ｍｍより大きい孔を有する。）副層の一実施形態は、ＸＰＬ−７１２４として３Ｍ社（3M Corporation）（ミネソタ州ミネアポリス（Minneapolis））から入手可能な、約１．５ｍｍの非圧縮厚さを有する、機械的に締着するループランディング要素を包含する。別の実施形態は、１平方メートル当たり１１０ｇの坪量及び７．９ｍｍの非圧縮厚さを有する、けん縮され樹脂結合された６デニールの不織布嵩高品を包含し、これは、グリット社（Glit Company）（ジョージア州レンス（Wrens））から入手可能である。他の好適な吸収性及び非吸収性の副層が、米国特許第６，６８０，４２２号及び米国特許第５，９４１，８６４号に記載されている。更に、副層又はそのいずれかの部分は、要素の性能若しくは他の特性を付加、強化、又は変更するため、ローション若しくは他の既知の物質を含むか、又はそれでコーティングされてもよい。
【００９９】
本発明の実施形態はまた、排泄物を受容し収容するためのポケット、排泄物に対する空隙を設けるスペーサー、物品内での排泄物の動きを制限するためのバリア、プルオン使い捨て吸収性物品内に置かれた排泄物質を受容し収容する区画若しくは空隙、及び他同種のもの、又はそれらの任意の組み合わせを含んでいてもよい。吸収性製品に使用されるポケット及びスペーサーの例が、米国特許第５，５１４，１２１号、米国特許第５，１７１，２３６号、米国特許第５，３９７，３１８号、米国特許第５，５４０，６７１号、米国特許第６，１６８，５８４号、米国特許第５，３０６，２６６号、及び米国特許第５，９９７，５２０号に記載されている。吸収性物品における隔室又は空隙の例が、米国特許第４，９６８，３１２号、米国特許第４，９９０，１４７号、米国特許第５，０６２，８４０号、及び米国特許第５，２６９，７５５号に開示されている。好適な横断方向バリアの例が、米国特許第５，５５４，１４２号、ＰＣＴ特許国際公開公報９４／１４３９５、及び米国特許第５，６５３，７０３号に記載されている。低粘性糞便を扱うのに適した他の構造の例が、米国特許第５，９４１，８６４号、米国特許第５，９７７，４３０号、及び米国特許第６，０１３，０６３号に開示されている。
【０１００】
本発明の実施形態は、濡れ現象による湿気を使い捨て吸収性物品内の感湿性部材に分配するように構成し得る獲得／分配層を有していてもよい。適した獲得／分散層の例は、米国特許第５，４６０，６２２号、米国特許出願公報第２００５／００２７２６７号、及び米国特許出願公報第２００５／００９１７３号に記載される。
【０１０１】
本発明の実施形態は、当該技術分野において既知であるダスティング層を有していてもよい。適したダスティング層は、米国特許第４，８８８，２３１号に記載される。
【０１０２】
本発明に従って構成された使い捨て吸収性物品は、締着要素を含んでもよい。図８に示されるように、幾つかの実施形態では、本発明に従って構成された使い捨て吸収性物品８００は、吸収性物品を着用者に保持するために、使い捨て吸収性物品の周囲の周辺に横方向の張力を提供するような形状の前側腰部区域及び後側腰部区域を維持することができる締着要素を含んでもよい。図示されるように、幾つかの実施形態では、嵌合構成要素８０２及び８０４は、第１のサイドパネル１２０Ａ及び第１のサイドパネル１２０Ｂの着用者に面する表面２１５に接合することができる。幾つかの実施形態では、補強要素２１０Ａ及び２１０Ｂは、嵌合構成要素８０２と８０４との間、及び第１のサイドパネル１２０Ａと１２０Ｂとの間に、それぞれ配置することができる。しかしながら、補強要素２１０Ａ及び２１０Ｂは、嵌合構成要素８０２及び８０４に関して本明細書に記載されるようないずれの適した方法で構成することができる。
【０１０３】
嵌合構成要素８０２及び８０４は、使い捨て吸収性物品８００の第２の腰部区域内の対応する受け取り構成要素（図示せず）に接合し、それによって、腰部開口部及び１組の脚部開口部を形成するように構成することができる。
【０１０４】
すべての他の既知の締着手段が一般に受け入れられているが、締着要素には、好ましくはテープ状ひもなどの表面締着具、フック及びループ締着コンポーネント、フックとフック、及び／又は雌雄締着コンポーネントが含まれる。代替の実施形態では、物品の対向する側面を縫い合わせるか、又は溶着させて、パンツを形成してもよい。これにより、この物品が、トレーニングパンツなどのプルオン型おむつとして使用可能になる。
【０１０５】
幾つかの代表的な表面締着装置が、米国特許第３，８４８，５９４号、米国特許第４，６６２，８７５号、米国特許第４，８４６，８１５号、米国特許第４，８９４，０６０号、米国特許第４，９４６，５２７号、米国特許第５，１５１，０９２号、及び米国特許第５，２２１，２７４号にて開示されている。代表的なインターロック締着装置は、米国特許第６，４３２，０９８号に開示されている。また締着装置は、米国特許第４，９６３，１４０号にて開示されているように、物品を処分構成に保持するための手段を提供してもよく、米国特許第４，６９９，６２２号にて開示されているように、一次及び二次締着装置が含まれてもよく、米国特許第５，２４２，４３６号にて開示されているように、重なり合う部分のずれを減少するための、又はフィットを改善するための手段を提供してもよく、並びに米国特許第５，４９９，９７８号、米国特許第５，５０７，７３６号、及び米国特許第５，５９１，１５２号にて開示されているように、着用者の腹部で隙間ができるのに抵抗する手段を提供してもよい。
【０１０６】
本発明の「発明を実施するための最良の形態」で引用したすべての文献は、関連部分において、参照することにより本明細書に組み込まれるが、いずれの文献の引用も、それが本発明に対する先行技術であることを容認するものと解釈すべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【０１０７】
本発明の特定の諸実施形態を図示し、記載したが、本発明の趣旨及び範囲から逸脱することなく他の様々な変更及び修正を実施できることが当業者には自明である。したがって、本発明の範囲内にあるそのようなすべての変更及び修正を添付の特許請求の範囲で扱うものとする。
【０１０８】
本明細書に開示される寸法及び値は、列挙された正確な数値に厳しく対応して設けられるものとして理解されるべきでない。それよりむしろ、特に指定されない限り、各こうした寸法は、列挙された値とその値周辺の機能的に同等の範囲との両方を意味することを意図する。例えば、「４０ｍｍ」として開示された寸法は、「約４０ｍｍ」を意味することを意図する。
【図面の簡単な説明】
【０１０９】
【図１Ａ】本発明に従って構成された使い捨て吸収性物品を示す平面図。
【図１Ｂ】図１Ａの使い捨て吸収性物品の締着された状態を示す等角図。
【図２Ａ】図１Ｂの使い捨て吸収性物品の締着シームを示す、線２Ａ−２Ａを通る断面図。
【図２Ｂ】締着シームの別の実施形態を示す断面図。
【図３Ａ】図１Ａの使い捨て吸収性物品の補強要素を示す、線３Ａ−３Ａを通る断面図。
【図３Ｂ】本発明に従って構成された使い捨て吸収性物品の他の実施形態を示す断面図。
【図３Ｃ】本発明に従って構成された使い捨て吸収性物品の他の実施形態を示す断面図。
【図３Ｄ】本発明に従って構成された使い捨て吸収性物品の他の実施形態を示す断面図。
【図３Ｅ】本発明に従って構成された使い捨て吸収性物品の他の実施形態を示す断面図。
【図３Ｆ】本発明に従って構成された使い捨て吸収性物品の他の実施形態を示す断面図。
【図３Ｇ】本発明に従って構成された使い捨て吸収性物品の他の実施形態を示す断面図。
【図４】本発明に従って構成された使い捨て吸収性物品の別の実施形態を示す断面図。
【図５Ａ】バックシートの一部分を含む場合の補強要素の幾つかの実施形態を示す断面図。
【図５Ｂ】バックシートの一部分を含む場合の補強要素の幾つかの実施形態を示す断面図。
【図５Ｃ】バックシートの一部分を含む場合の補強要素の幾つかの実施形態を示す断面図。
【図６Ａ】カバー層の一部分を含む場合の補強要素の幾つかの実施形態を示す断面図。
【図６Ｂ】カバー層の一部分を含む場合の補強要素の幾つかの実施形態を示す断面図。
【図６Ｃ】カバー層の一部分を含む場合の補強要素の幾つかの実施形態を示す断面図。
【図７】本発明に従って構成された使い捨て吸収性物品の別の実施形態を示す断面図。
【図８】本発明に従って構成された使い捨て吸収性物品の別の実施形態を示す断面図。
【図１Ａ】
2009533195.tif 000003
【図１Ｂ】
2009533195.tif 000004
【図２Ａ】
2009533195.tif 000005
【図２Ｂ】
2009533195.tif 000006
【図３Ａ】
2009533195.tif 000007
【図３Ｂ】
2009533195.tif 000008
【図３Ｃ】
2009533195.tif 000009
【図３Ｄ】
2009533195.tif 000010
【図３Ｅ】
2009533195.tif 000011
【図３Ｆ】
2009533195.tif 000012
【図３Ｇ】
2009533195.tif 000013
【図４】
2009533195.tif 000014
【図５Ａ】
2009533195.tif 000015
【図５Ｂ】
2009533195.tif 000016
【図５Ｃ】
2009533195.tif 000017
【図６Ａ】
2009533195.tif 000018
【図６Ｂ】
2009533195.tif 000019
【図６Ｃ】
2009533195.tif 000020
【図７】
2009533195.tif 000021
【図８】
2009533195.tif 000022
【国際調査報告】
2009533195.tif 000023
2009533195.tif 000024
2009533195.tif 000025
2009533195.tif 000026